【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
波長が相違する複数の光信号を波長多重することにより波長多重光信号を生成する生成部と、
前記波長多重光信号を伝送路に出力する出力部と、
前記波長多重光信号に波長多重される前記複数の光信号に周波数帯域をそれぞれ割り当て、前記複数の光信号に割り当てた周波数帯域に応じて前記波長多重光信号のパワーを制御する第１制御部とを有することを特徴とする伝送装置。
【請求項２】
前記生成部は、前記波長多重光信号に波長多重される前記複数の光信号をそれぞれ減衰させる複数の減衰器を含み、
前記第１制御部は、前記複数の光信号に割り当てた周波数帯域に応じて前記複数の減衰器の各減衰量をそれぞれ制御することを特徴とする請求項１に記載の伝送装置。
【請求項３】
前記第１制御部は、前記複数の減衰器から出力される前記複数の光信号のパワーが、前記複数の光信号に割り当てた周波数帯域に比例して増加するように、前記複数の減衰器の各減衰量をそれぞれ制御することを特徴とする請求項２に記載の伝送装置。
【請求項４】
前記複数の光信号の周波数帯域及びパワーを対応付けて記憶する第１記憶部を有し、
前記第１制御部は、前記第１記憶部から、前記複数の光信号に割り当てた周波数帯域に対応するパワーを取得して、該取得したパワーに前記複数の光信号のパワーを近づけるように前記複数の減衰器の減衰量をそれぞれ制御することを特徴とする請求項２に記載の伝送装置。
【請求項５】
前記出力部は、前記波長多重光信号を増幅する増幅部と、前記複数の光信号に割り当てた周波数帯域に応じて前記増幅部の利得を制御する第２制御部とを有することを特徴とする請求項１乃至４の何れかに記載の伝送装置。
【請求項６】
前記第２制御部は、前記増幅部から出力される前記波長多重光信号に含まれる前記複数の光信号のパワーが、前記複数の光信号に割り当てた周波数帯域に比例して増加するように、前記増幅部の利得を制御することを特徴とする請求項５に記載の伝送装置。
【請求項７】
前記出力部は、前記複数の光信号の周波数帯域及びパワーを対応付けて記憶する第２記憶部を有し、
前記第２制御部は、前記第２記憶部から、前記複数の光信号に割り当てた周波数帯域に対応するパワーを取得して、該取得したパワーの合計に前記波長多重光信号のパワーを近づけるように前記増幅部の利得を制御することを特徴とする請求項５に記載の伝送装置。
【請求項８】
前記複数の光信号の１つを前記生成部に送信する送信器と、
前記複数の光信号の１つの多値変調方式及びボーレートを前記送信器に設定する設定部とを有し、
前記第１制御部は、前記複数の光信号の１つに前記ボーレートに応じた周波数帯域を割り当てることを特徴とする請求項１乃至７の何れかに記載の伝送装置。
【請求項９】
波長が相違する複数の光信号を伝送する伝送装置と、
前記伝送装置を管理する管理装置と有し、
前記管理装置は、
前記複数の光信号の１つの伝送レートに応じた複数組の多値変調方式及びボーレートから、該光信号の伝送品質に関する条件を満たし、前記ボーレートが最も小さい１組の多値変調方式及びボーレートを選択する選択部と、
前記１組の多値変調方式及びボーレートを前記伝送装置に通知する通知部とを有し、
前記伝送装置は、
前記複数の光信号を波長多重することにより波長多重光信号を生成する生成部と、
前記１組の多値変調方式及びボーレートに従って前記光信号を前記生成部に送信する送信器と、
前記波長多重光信号を伝送路に出力する出力部と、
前記波長多重光信号に波長多重される前記複数の光信号に、前記ボーレートに応じた周波数帯域をそれぞれ割り当て、前記複数の光信号に割り当てた周波数帯域に応じて前記波長多重光信号のパワーを制御する第１制御部とを有し、
前記第１制御部は、前記光信号に前記ボーレートに応じた周波数帯域を割り当てることを特徴とする伝送システム。
【請求項１０】
波長が相違する複数の光信号を波長多重することにより波長多重光信号を生成し、
前記波長多重光信号を伝送路に出力し、
前記波長多重光信号に波長多重される前記複数の光信号に周波数帯域をそれぞれ割り当て、
前記複数の光信号に割り当てた周波数帯域に応じて前記波長多重光信号のパワーを制御することを特徴とする伝送方法。
【手続補正２】
【補正対象書類名】明細書
【補正対象項目名】０００８
【補正方法】変更
【補正の内容】
【０００８】
１つの態様では、伝送装置は、波長が相違する複数の光信号を波長多重することにより波長多重光信号を生成する生成部と、前記波長多重光信号を伝送路に出力する出力部と、前記波長多重光信号に波長多重される前記複数の光信号に周波数帯域をそれぞれ割り当て、前記複数の光信号に割り当てた周波数帯域に応じて前記波長多重光信号のパワーを制御する第１制御部とを有する。
【手続補正３】
【補正対象書類名】明細書
【補正対象項目名】０００９
【補正方法】変更
【補正の内容】
【０００９】
１つの態様では、伝送システムは、波長が相違する複数の光信号を伝送する伝送装置と、前記伝送装置を管理する管理装置とを有し、前記管理装置は、前記複数の光信号の１つの伝送レートに応じた複数組の多値変調方式及びボーレートから、該光信号の伝送品質に関する条件を満たし、前記ボーレートが最も小さい１組の多値変調方式及びボーレートを選択する選択部と、前記１組の多値変調方式及びボーレートを前記伝送装置に通知する通知部とを有し、前記伝送装置は、前記複数の光信号を波長多重することにより波長多重光信号を生成する生成部と、前記１組の多値変調方式及びボーレートに従って前記光信号を前記生成部に送信する送信器と、前記波長多重光信号を伝送路に出力する出力部と、前記波長多重光信号に波長多重される前記複数の光信号に、前記ボーレートに応じた周波数帯域をそれぞれ割り当て、前記複数の光信号に割り当てた周波数帯域に応じて前記波長多重光信号のパワーを制御する第１制御部とを有し、前記第１制御部は、前記光信号に前記ボーレートに応じた周波数帯域を割り当てる。
【手続補正４】
【補正対象書類名】明細書
【補正対象項目名】００１０
【補正方法】変更
【補正の内容】
【００１０】
１つの態様では、伝送方法は、波長が相違する複数の光信号を波長多重することにより波長多重光信号を生成し、前記波長多重光信号を伝送路に出力し、前記波長多重光信号に波長多重される前記複数の光信号に周波数帯域をそれぞれ割り当て、前記複数の光信号に割り当てた周波数帯域に応じて前記波長多重光信号のパワーを制御する。
【手続補正５】
【補正対象書類名】明細書
【補正対象項目名】００４５
【補正方法】変更
【補正の内容】
【００４５】
ＷＳＳ制御部１０５は、波長フィルタの透過帯域として各光信号の周波数帯域の帯域幅ＢＷｉを設定する。これにより、ＷＳＳ制御部１０５は、波長多重光信号Ｓｍに波長多重される各チャネルＣＨ＃１〜＃ｍの光信号に周波数帯域をそれぞれ割り当てる。波長多重光信号Ｓｍに波長多重可能な信号数は帯域幅ＢＷｉに基づき決定される。
【手続補正６】
【補正対象書類名】明細書
【補正対象項目名】００５４
【補正方法】変更
【補正の内容】
【００５４】
再び図４Ａを参照すると、ＷＳＳ制御部１０５は、第１制御部の一例であり、各チャネルＣＨ＃１〜＃ｍの光信号に割り当てた周波数帯域に応じて波長多重光信号Ｓｍのパワーを制御する。例えばＷＳＳ制御部１０５は、ネットワーク管理装置８から設定されたチャネルＣＨ＃１〜＃ｍごとの帯域幅ＢＷｉに対応するパワーＰｔを、メモリ１０６に記憶されたパワーデータベース（ＤＢ）１０６ａから取得する。なお、メモリ１０６は第１記憶部の一例であるが、第１記憶部はメモリ１０６に限定されず、例えばハードディスクドライブなどの他の記憶手段であってもよい。
【手続補正７】
【補正対象書類名】明細書
【補正対象項目名】００５９
【補正方法】変更
【補正の内容】
【００５９】
光信号のパワーＰｔはその帯域幅ＢＷｉに比例して増加する。このため、ＷＳＳ制御部１０５は、その比例関係に基づいて帯域幅ＢＷｉからパワーＰｔを算出することができる。
【手続補正８】
【補正対象書類名】明細書
【補正対象項目名】００６０
【補正方法】変更
【補正の内容】
【００６０】
このように、ＷＳＳ制御部１０５は、各減衰器２３から出力される光信号のパワーＰｔが、光信号に割り当てた帯域幅ＢＷｉに比例して増加するように、各減衰器の減衰量をそれぞれ制御する。このため、ＷＳＳ制御部１０５は、パワーＤＢ１０６ａを用いずに光信号のパワーＰｔを制御することができる。
【手続補正９】
【補正対象書類名】明細書
【補正対象項目名】００７６
【補正方法】変更
【補正の内容】
【００７６】
このように、アンプ制御部３０９は、パワーＤＢ３０７ａから、チャネルＣＨ＃１〜＃ｍごとの光信号に割り当てた周波数帯域に対応するパワーＰｏｕｔを取得して、各パワーＰｏｕｔの合計に波長多重光信号Ｓｍのパワーを近づけるように光増幅部３００の利得を制御する。したがって、アンプ制御部３０９は、メモリ３０７に記憶された帯域幅ＢＷｉ及びパワーＰｏｕｔの対応関係に基づきパワーＰｏｕｔを取得するため、パワーＰｏｕｔを算出する手間を省くことができる。もっとも、アンプ制御部３０９は、これに限定されず、以下のようにパワーＰｏｕｔを算出してもよい。
【手続補正１０】
【補正対象書類名】明細書
【補正対象項目名】００８１
【補正方法】変更
【補正の内容】
【００８１】
光信号のパワーＰｏｕｔはその帯域幅ＢＷｉに比例して増加する。このため、アンプ制御部３０９は、その比例関係に基づいて帯域幅ＢＷｉからパワーＰｏｕｔを算出することができる。
【手続補正１１】
【補正対象書類名】明細書
【補正対象項目名】００８２
【補正方法】変更
【補正の内容】
【００８２】
このように、アンプ制御部３０９は、光増幅部３００から出力される波長多重光信号Ｓｍに含まれる光信号のパワーが、光信号に割り当てた帯域幅ＢＷｉに比例して増加するように、光増幅部の利得を制御する。このため、アンプ制御部３０９は、パワーＤＢ３０７ａを用いずに光信号のパワーＰｏｕｔを制御することができる。
【手続補正１２】
【補正対象書類名】明細書
【補正対象項目名】０１２１
【補正方法】変更
【補正の内容】
【０１２１】
次にＷＳＳ制御部１０５は、ネットワーク管理装置８から通知されたスイッチ情報に基づき分岐スイッチ２１及び挿入スイッチ２２を設定する（ステップＳｔ２２）。次にＷＳＳ制御部１０５は、チャネルＣＨ＃１〜＃ｍごとに帯域幅ＢＷｉを波長多重部２４に設定する（ステップＳｔ２３）。つまり、ＷＳＳ制御部１０５は、波長多重光信号Ｓｍに波長多重される各光信号に周波数帯域をそれぞれ割り当てる。
【手続補正１３】
【補正対象書類名】明細書
【補正対象項目名】０１２２
【補正方法】変更
【補正の内容】
【０１２２】
次にＷＳＳ制御部１０５は、帯域幅ＢＷｉに応じた減衰量をＶＯＡ２３に設定する（ステップＳｔ２４）。つまり、ＷＳＳ制御部１０５は、各光信号に割り当てた周波数帯域に応じて波長多重光信号Ｓｍのパワーを制御する。
【手続補正１４】
【補正対象書類名】明細書
【補正対象項目名】０１２３
【補正方法】変更
【補正の内容】
【０１２３】
次にアンプ制御部３０９は、帯域幅ＢＷｉに応じた利得を光増幅部３００に設定する（ステップＳｔ２５）。つまり、アンプ制御部３０９は、各光信号に割り当てられた周波数帯域に応じて波長多重光信号Ｓｍのパワーを制御する。
【手続補正１５】
【補正対象書類名】明細書
【補正対象項目名】０１４０
【補正方法】変更
【補正の内容】
【０１４０】
なお、以上の説明に関して更に以下の付記を開示する。
（付記１）  波長が相違する複数の光信号を波長多重することにより波長多重光信号を生成する生成部と、
前記波長多重光信号を伝送路に出力する出力部と、
前記波長多重光信号に波長多重される前記複数の光信号に周波数帯域をそれぞれ割り当て、前記複数の光信号に割り当てた周波数帯域に応じて前記波長多重光信号のパワーを制御する第１制御部とを有することを特徴とする伝送装置。
（付記２）  前記生成部は、前記波長多重光信号に波長多重される前記複数の光信号をそれぞれ減衰させる複数の減衰器を含み、
前記第１制御部は、前記複数の光信号に割り当てた周波数帯域に応じて前記複数の減衰器の各減衰量をそれぞれ制御することを特徴とする付記１に記載の伝送装置。
（付記３）  前記第１制御部は、前記複数の減衰器から出力される前記複数の光信号のパワーが、前記複数の光信号に割り当てた周波数帯域に比例して増加するように、前記複数の減衰器の各減衰量をそれぞれ制御することを特徴とする付記２に記載の伝送装置。
（付記４）  前記複数の光信号の周波数帯域及びパワーを対応付けて記憶する第１記憶部を有し、
前記第１制御部は、前記第１記憶部から、前記複数の光信号に割り当てた周波数帯域に対応するパワーを取得して、該取得したパワーに前記複数の光信号のパワーを近づけるように前記複数の減衰器の減衰量をそれぞれ制御することを特徴とする付記２に記載の伝送装置。
（付記５）  前記出力部は、前記波長多重光信号を増幅する増幅部と、前記複数の光信号に割り当てた周波数帯域に応じて前記増幅部の利得を制御する第２制御部とを有することを特徴とする付記１乃至４の何れかに記載の伝送装置。
（付記６）  前記第２制御部は、前記増幅部から出力される前記波長多重光信号に含まれる前記複数の光信号のパワーが、前記複数の光信号に割り当てた周波数帯域に比例して増加するように、前記増幅部の利得を制御することを特徴とする付記５に記載の伝送装置。
（付記７）  前記出力部は、前記複数の光信号の周波数帯域及びパワーを対応付けて記憶する第２記憶部を有し、
前記第２制御部は、前記第２記憶部から、前記複数の光信号に割り当てた周波数帯域に対応するパワーを取得して、該取得したパワーの合計に前記波長多重光信号のパワーを近づけるように前記増幅部の利得を制御することを特徴とする付記５に記載の伝送装置。
（付記８）  前記複数の光信号の１つを前記生成部に送信する送信器と、
前記複数の光信号の１つの多値変調方式及びボーレートを前記送信器に設定する設定部とを有し、
前記第１制御部は、前記複数の光信号の１つに前記ボーレートに応じた周波数帯域を割り当てることを特徴とする付記１乃至７の何れかに記載の伝送装置。
（付記９）  波長が相違する複数の光信号を伝送する伝送装置と、
前記伝送装置を管理する管理装置と有し、
前記管理装置は、
前記複数の光信号の１つの伝送レートに応じた複数組の多値変調方式及びボーレートから、該光信号の伝送品質に関する条件を満たし、前記ボーレートが最も小さい１組の多値変調方式及びボーレートを選択する選択部と、
前記１組の多値変調方式及びボーレートを前記伝送装置に通知する通知部とを有し、
前記伝送装置は、
前記複数の光信号を波長多重することにより波長多重光信号を生成する生成部と、
前記１組の多値変調方式及びボーレートに従って前記光信号を前記生成部に送信する送信器と、
前記波長多重光信号を伝送路に出力する出力部と、
前記波長多重光信号に波長多重される前記複数の光信号に、前記ボーレートに応じた周波数帯域をそれぞれ割り当て、前記複数の光信号に割り当てた周波数帯域に応じて前記波長多重光信号のパワーを制御する第１制御部とを有し、
前記第１制御部は、前記光信号に前記ボーレートに応じた周波数帯域を割り当てることを特徴とする伝送システム。
（付記１０）  前記生成部は、前記波長多重光信号に波長多重される前記複数の光信号をそれぞれ減衰させる複数の減衰器を含み、
前記第１制御部は、前記複数の光信号に割り当てた周波数帯域に応じて前記複数の減衰器の各減衰量をそれぞれ制御することを特徴とする付記９に記載の伝送システム。
（付記１１）  前記第１制御部は、前記複数の減衰器から出力される前記複数の光信号のパワーが、前記複数の光信号に割り当てた周波数帯域に比例して増加するように、前記複数の減衰器の各減衰量をそれぞれ制御することを特徴とする付記１０に記載の伝送システム。
（付記１２）  前記複数の光信号の周波数帯域及びパワーを対応付けて記憶する第１記憶部を有し、
前記第１制御部は、前記第１記憶部から、前記複数の光信号に割り当てた周波数帯域に対応するパワーを取得して、該取得したパワーに前記複数の光信号のパワーを近づけるように前記複数の減衰器の減衰量をそれぞれ制御することを特徴とする付記１０に記載の伝送システム。
（付記１３）  前記出力部は、前記波長多重光信号を増幅する増幅部と、前記複数の光信号に割り当てた周波数帯域に応じて前記増幅部の利得を制御する第２制御部とを有することを特徴とする付記９乃至１２の何れかに記載の伝送システム。
（付記１４）  前記第２制御部は、前記増幅部から出力される前記波長多重光信号に含まれる前記複数の光信号のパワーが、前記複数の光信号に割り当てた周波数帯域に比例して増加するように、前記増幅部の利得を制御することを特徴とする付記１３に記載の伝送システム。
（付記１５）  前記出力部は、前記複数の光信号の周波数帯域及びパワーを対応付けて記憶する第２記憶部を有し、
前記第２制御部は、前記第２記憶部から、前記複数の光信号に割り当てた周波数帯域に対応するパワーを取得して、該取得したパワーの合計に前記波長多重光信号のパワーを近づけるように前記増幅部の利得を制御することを特徴とする付記１３に記載の伝送システム。
（付記１６）  前記複数の光信号の１つを前記生成部に送信する送信器と、
前記複数の光信号の１つの多値変調方式及びボーレートを前記送信器に設定する設定部とを有し、
前記第１制御部は、前記複数の光信号の１つに前記ボーレートに応じた周波数帯域を割り当てることを特徴とする付記９乃至１５の何れかに記載の伝送システム。
（付記１７）  波長が相違する複数の光信号を波長多重することにより波長多重光信号を生成し、
前記波長多重光信号を伝送路に出力し、
前記波長多重光信号に波長多重される前記複数の光信号に周波数帯域をそれぞれ割り当て、
前記複数の光信号に割り当てた周波数帯域に応じて前記波長多重光信号のパワーを制御することを特徴とする伝送方法。
（付記１８）  前記波長多重光信号に波長多重される前記複数の光信号を複数の減衰器によりそれぞれ減衰させ、
前記複数の光信号に割り当てた周波数帯域に応じて前記複数の減衰器の各減衰量をそれぞれ制御することを特徴とする付記１７に記載の伝送方法。
（付記１９）  前記波長多重光信号を増幅部により増幅して前記伝送路に出力し、
前記複数の光信号に割り当てた周波数帯域に応じて前記増幅部の利得を制御することを特徴とする付記１７または１８に記載の伝送方法。
（付記２０）  前記複数の光信号の１つを送信器から送信し、
前記複数の光信号の１つの多値変調方式及びボーレートを前記送信器に設定し、
前記複数の光信号の１つに前記ボーレートに応じた周波数帯域を割り当てることを特徴とする付記１７乃至１９の何れかに記載の伝送方法。